(57)【要約】【課題】  簡単な構成で多少のフレーム同期パターンの誤りがあっても、データの欠落がないようにすることを目的とする。【解決手段】  第１及び第２の受信アンテナ４及び５で所定周期毎に予め定められたフレーム同期パターンが挿入されたパケットデータを受信し、この第１及び第２の受信アンテナ４及び５で受信したパケットデータのフレーム同期パターンと予め定められたフレーム同期パターンとを比較してこの第１の受信アンテナ４で受信したパケットデータＸ１を採用するかこの第２の受信アンテナ５で受信したパケットデータＸ２を採用するかを決定するようにしたスペースダイバーシチ受信機において、この第１及び第２の受信アンテナ４及び５で受信したパケットデータＸ１及びＸ２のフレーム同期パターンと予め定められたフレーム同期パターンとを排他的否定論理和回路２０及び２１で比較し、一致したビット数が多い方の受信アンテナで受信したパケットデータを採用するようにしたものである。【選択図】        図１
2006108771.tif 000002
【特許請求の範囲】
【請求項１】
第１及び第２の受信アンテナで所定周期毎に予め定められたフレーム同期パターンが挿入されたパケットデータを受信し、前記第１及び第２の受信アンテナで受信したパケットデータのフレーム同期パターンと予め定められたフレーム同期パターンとを比較して前記第１の受信アンテナで受信したパケットデータを採用するか前記第２の受信アンテナで受信したパケットデータを採用するかを決定するようにしたスペースダイバーシチ受信機において、
前記第１及び第２の受信アンテナで受信したパケットデータのフレーム同期パターンと予め定められたフレーム同期パターンとを排他的否定論理和回路で比較し、一致したビット数が多い方の受信アンテナで受信したパケットデータを採用するようにしたことを特徴とするスペースダイバーシチ受信機。
【請求項２】
請求項１記載のスペースダイバーシチ受信機において、
前記一致したビット数は所定の閾値以上であることを特徴とするスペースダイバーシチ受信機。
【発明の詳細な説明】
【技術分野】
【０００１】
本発明は、送信されたパケットデータ（デジタルデータ）をスペースダイバーシチ受信するようにしたスペースダイバーシチ受信機に関する。
【背景技術】
【０００２】
一般に、パケットデータを伝送するのに図３に示す如きスペースダイバーシチ方式が使用されている。このスペースダイバーシチ方式は、２個の受信アンテナで受信し、之等受信信号を切替えて使用するもので、この２個の受信アンテナの位置が異なることにより、各受信アンテナの入力の直接波と干渉波の位相関係が異なるため、これらの性質を利用しフェージングの影響を軽減できる。
【０００３】
図３において、１は送信しようとするパケットデータを送信用アンテナ２より送信するパケットデータの送信機を示す。
【０００４】
このパケットデータは、図４に示す如く、所定周期毎に予め定められた例えば１０ビットのフレーム同期パターン例えば「１１０１１００１１０」が挿入され、夫々のフレーム同期パターンの後に所望の伝送データが続くデジタルデータである。
【０００５】
また、３は２個の受信アンテナ４及び５が設けられた、スペースダイバーシチ受信機を示し、この２つの受信アンテナ４及び５は相異なる空間伝搬路Ａ及びＢで伝搬された送信パケットデータＸを夫々受信する如くなされたものである。
【０００６】
一般にこの２つの受信アンテナ４及び５で受信したパケットデータＸ１及びＸ２は異なる空間伝搬路Ａ及びＢを通るため電界強度、データ誤りに差を生じている。このスペースダイバーシチ受信機３においては、この受信したパケットデータＸ１及びＸ２のうち状態の良い方の受信パケットデータを採用している。
【０００７】
従来、この状態の良い受信パケットデータを採用するのにフレーム同期パターンを使用するようにしたものが提案されている。この従来の受信パケットデータのフレーム同期パケットを使用するようにした受信機につき図５を参照して説明する。
【０００８】
図５において、６及び７は夫々受信アンテナ４及び５が夫々受信した受信パケットデータの例えば１０ビットのフレーム同期パターンが順次入力されるシフトレジスタを示す。また８及び９は予め定められた受信しようとするデータのフレーム同期パターン例えば「１１０１１００１１０」を発生するフレーム同期パターン発生回路を示す。
【０００９】
また、１０は比較器を示し、この比較器１０は、受信アンテナ４が受信したパケットデータＸ１のシフトレジスタ６に供給されたフレーム同期パターンとフレーム同期パターン発生回路８よりの受信しようとするデータのフレーム同期パターンとを比較し、之等フレーム同期パターンが完全に一致した場合に、この比較器１０はフレーム同期フラグを生成し、このフレーム同期フラグをデータ切替器１１に供給し、このデータ切替器１１は受信アンテナ４よりの受信パケットデータＸ１を受信機本体３ａに供給する。
【００１０】
また、１２は比較器を示し、この比較器１２は、受信アンテナ５が受信したパケットデータＸ２のシフトレジスタ７に供給されたフレーム同期パターンとフレーム同期パターン発生回路９よりの予め定められた受信しようとするデータのフレーム同期パターンとを比較し、之等フレーム同期パターンが完全に一致した場合に、この比較器１２はフレーム同期フラグを生成し、このフレーム同期フラグをデータ切替器１１に供給し、このデータ切替器１１は受信アンテナ５よりの受信パケットデータＸ２を受信機本体３ａに供給する。
【００１１】
即ち、図５の従来例においては受信したフレーム同期パターンが予め定められたフレーム同期パターンと完全に一致したときに一致した方の受信パケットデータを採用している。
【発明の開示】
【発明が解決しようとする課題】
【００１２】
然しながら一般にフレーム同期パターンは伝送データと区別しやすくするようにある程度のデータ長例えば１０ビットとされているが、完全に一致したときのみフレーム同期フラグを生成するようにしたときには、データ長が例えば１０ビットと長いため、１〜２ビットの誤りが生じ得るが、この１〜２ビットの誤りがあったときは同期失敗とみなされ、わずかな誤りしかない場合でも、受信データの先頭を見つけることができず、また両方の受信パケットデータＸ１及びＸ２とも同期失敗したときには１パケット分のデータが欠落してしまい、音声等の連続したデータを伝送する場合にはノイズや無音等となり深刻な影響が生じる不都合があった。
【００１３】
本発明は斯る点に鑑み、簡単な構成で多少のフレーム同期パターンの誤りがあっても、データの欠落がないようにすることを目的とする。
【課題を解決するための手段】
【００１４】
本発明スペースダイバーシチ受信機は、第１及び第２の受信アンテナで所定周期毎に予め定められたフレーム同期パターンが挿入されたパケットデータを受信し、この第１及び第２の受信アンテナで受信したパケットデータのフレーム同期パターンと予め定められたフレーム同期パターンとを比較してこの第１の受信アンテナで受信したパケットデータを採用するかこの第２の受信アンテナで受信したパケットデータを採用するかを決定するようにしたスペースダイバーシチ受信機において、この第１及び第２の受信アンテナで受信したパケットデータのフレーム同期パターンと予め定められたフレーム同期パターンとを排他的否定論理和回路で比較し、一致したビット数が多い方の受信アンテナで受信したパケットデータを採用するようにしたものである。
【発明の効果】
【００１５】
本発明によれば第１及び第２の受信アンテナで受信したパケットデータのフレーム同期パターンと予め定められたフレーム同期パターンとを排他的否定論理和回路で比較し、一致したビット数が多い方の受信アンテナで受信したパケットデータを採用するようにしたので、多少ビットのフレーム同期パターンの誤りがあってもパケットデータが欠落することがなく音声等にノイズ、無音等をなくすことができる。
【００１６】
また本発明によれば排他的否定論理和回路で比較するので構成が簡単である。
【発明を実施するための最良の形態】
【００１７】
以下、図１、図２、図３を参照して本発明スペースダイバーシチ受信機を実施するための最良の形態の例につき説明するに、図１において、図５に対応する部分には同一符号を付して示す。
【００１８】
本例は、図３に示す如く、パケットデータ送信機１の送信アンテナ２よりのパケットデータをスペースダイバーシチ受信するようにしたスペースダイバーシチ受信装置である。
【００１９】
このパケットデータは、図４に示す如く、所定周期毎に予め定められた例えば１０ビットのフレーム同期パターン例えば「１１０１１００１１０」が挿入され、夫々のフレーム同期パターンの後に所望の伝送データが続くデジタルデータである。
【００２０】
このパケットデータをスペースダイバーシチ受信するようにしたスペースダイバーシチ受信機３は２個の受信アンテナ４及び５が設けられ、この２個の受信アンテナ４及び５は相異なる空間伝搬路Ａ及びＢで伝搬された送信パケットデータＸを夫々受信する如くする。
【００２１】
一般に、この２つの受信アンテナ４及び５で受信したパケットデータＸ１及びＸ２は異なる空間伝搬路Ａ及びＢを通るため電界強度、データ誤りに差を生じている。このスペースダイバーシチ受信機３においては、この受信したパケットデータＸ１及びＸ２のうち状態の良い方の受信パケットデータを採用している。
【００２２】
本例においては、図１に示す如く、この状態の良い受信パケットデータを採用するのにフレーム同期パターンを使用する。
【００２３】
本例においては、受信アンテナ４で受信したパケットデータＸ１をシフトレジスタ６に供給すると共にデータ切替器１１に供給する。この場合、このシフトレジスタ６はこのパケットデータＸ１のフレーム同期パターン例えば１０ビットが所定周期毎に順次供給され、これを格納する。例えばパケットデータＸ１のフレーム同期パターン「１１０１１０１１１０」を格納する。
【００２４】
また、受信アンテナ５で受信したパケットデータＸ２をシフトレジスタ７に供給すると共にデータ切替器１１に供給する。この場合、このシフトレジスタ７はこのパケットデータＸ２のフレーム同期パターン例えば１０ビットが所定周期毎に順次供給され、これを格納する。例えばパケットデータＸ２のフレーム同期パターン「１００１１０１１１１」を格納する。
【００２５】
また、本例においてはフレーム同期パターン発生回路８及び９より夫々予め定められた受信しようとするデータのフレーム同期パターン例えば「１１０１１００１１０」を発生する。
【００２６】
本例においてはシフトレジスタ６よりのパケットデータＸ１のフレーム同期パターン例えば「１１０１１０１１１０」を排他的否定論理和回路２０の一方の入力端子に供給すると共にフレーム同期パターン発生回路８よりの予め定められたフレーム同期パターン例えば「１１０１１００１１０」をこの排他的否定論理和回路２０の他方の入力端子に供給し、各ビット毎に排他的否定論理和を取る如くする。
【００２７】
また、シフトレジスタ７よりのパケットデータＸ２のフレーム同期パターン例えば「１００１１０１１１１」を排他的否定論理和回路２１の一方の入力端子に供給すると共にフレーム同期パターン発生回路９よりの予め定められたフレーム同期パターン例えば「１１０１１００１１０」をこの排他的否定論理和回路２１の他方の入力端子に供給し、各ビット毎に排他的否定論理和を取る如くする。
【００２８】
この排他的否定論理和回路２０及び２１の真理値は図２に示す如く、一方の入力Ａと他方の入力Ｂとが「０」又は「１」で一致したときは出力Ｘは「１」であり、一方の入力Ａと他方の入力Ｂとが異なったとき「０」「１」又は「１」「０」のときは出力Ｘは「０」である。
【００２９】
従って、この排他的否定論理和回路２０及び２１はシフトレジスタ６，７よりのフレーム同期パターンの各ビットとフレーム同期パターン発生回路８，９よりのフレーム同期パターンの各ビットとが一致したときは「１」出力し、不一致のときは「０」を出力する。
【００３０】
この排他的否定論理和２０及び２１の夫々の出力信号を演算結果の加算器２２及び２３に夫々供給する。この演算結果の加算器２２及び２３は一致した出力信号が「１」の数を加算すると共にこの加算が閾値例えば「７」を越えたときは、その演算結果の値をデータ切替器１１に供給する。
【００３１】
本例においては、このデータ切替器１１において、この加算器２２及び２３よりの値が大きい方の受信パケットデータを採用し、受信機本体３ａに供給する如くする。
【００３２】
例えば、受信パケットデータＸ１のフレーム同期パターンが「１１０１１０１１１０」のときは、予め定められフレーム同期パターン、例えば「１１０１１００１１０」とは９ビットが一致しているので、加算器２２の値は「９」であり閾値「７」を越えており、また受信パケットＸ２のフレーム同期パターンが例えば「１００１１０１１１１」のときは、予め定められたフレーム同期パターン例えば「１１０１１００１１０」とは７ビットが一致しているので、加算器２３の値は「７」であり、閾値「７」を越えているが加算器２２の値の方が大きいので、データ切替器１１は受信アンテナ４よりの受信パケットデータＸ１を採用し、受信機本体３ａにこの受信パケットデータＸ１を供給する。
【００３３】
この加算器２２，２３の値が閾値例えば「７」を越えないときは同期が失敗したものとする。
【００３４】
本例は上述の如く構成されているので、２個の受信アンテナ４及び５で受信したパケットデータＸ１及びＸ２のフレーム同期パターンと予め定められた所望するデータのフレーム同期パターンとを排他的否定論理和回路２２，２３で比較し、一致したビット数が多い方の受信アンテナで受信したパケットデータを採用するようにしたので、多少のビット例えば１〜３ビットのフレーム同期パターンの誤りがあってもパケットデータが欠落することがなく音声等にノイズ、無音等をなくすことができる。
【００３５】
また本例によれば排他的否定論理和回路で比較するので構成が簡単である。
【００３６】
尚、本発明は上述例に限ることなく本発明の要旨を逸脱することなくその他種々の構成が採り得ることは勿論である。
【図面の簡単な説明】
【００３７】
【図１】本発明スペースダイバーシチ受信機を実施するための最良の形態の例を示す構成図である。
【図２】本発明の説明に供する線図である。
【図３】スペースダイバーシチ方式の説明に供する構成図である。
【図４】パケットデータの例を示す線図である。
【図５】従来のスペースダイバーシチ受信機の例を示す構成図である。
【符号の説明】
【００３８】
３ａ‥‥受信機本体、４，５‥‥受信アンテナ、６，７‥‥シフトレジスタ、８，９‥‥フレーム同期パターン発生回路、１１‥‥データ切替器、２０，２１‥‥排他的否定論理和回路、２２，２３‥‥加算器
【図１】
2006108771.tif 000003
【図２】
2006108771.tif 000004
【図３】
2006108771.tif 000005
【図４】
2006108771.tif 000006
【図５】
2006108771.tif 000007